(57)【要約】      （修正有）【課題】ケーブルが組合せコードまたはカギ優先機構により錠から解放され得るケーブル錠を提供する。【解決手段】錠１０は、ケーブル１１０と、錠本体とを含んでおり、ケーブルは、第１ケーブル端部１１１と、第２ケーブル端部１１２とを有しており、錠本体は、錠本体の一方側においてシャフト８０を、錠本体の他方側において固定カム４０を受容するように配置されている。シャフト８０は、第１ケーブル端部１１１と取り外し可能に係合される頂部を有しており、固定カム４０は、第２ケーブル端部１１２と取り外し可能に係合されるカム溝４１を有している。第１ケーブル端部１１１は、組合せ機構によって解放され得て、第２ケーブル端部１１２は、カギ優先機構によって解放され得る。【選択図】図１Ａ
2019108785.tif 000002
【特許請求の範囲】
【請求項１】
施錠モードおよび開錠モードにおいて操作可能である錠であって、
第１端部と、反対側端部とを有する錠本体と、
一群のクラッチと、
それぞれが前記クラッチのうちの別々の１つと連携する複数のダイヤルと、
固定カム溝を有する固定カムと、
シャフト本体と、前記錠本体の前記第１端部と隣接する頂部とを含むシャフトであって、前記頂部は、シャフト溝を有し、前記シャフトは、前記シャフト本体に複数のシャフト突出部をさらに含み、各シャフト突出部は、前記クラッチのうちの１つと連携する、シャフトと、
第１ケーブル端部と、第２ケーブル端部とを含み、前記第１ケーブル端部は、前記シャフト溝と取り外し可能に係合される第１端部首部を有し、前記第２ケーブル端部は、前記固定カムの前記固定カム溝と取り外し可能に係合される第２端部首部を有する、ケーブルと
を含み、
前記錠本体は、
前記ダイヤルを受容する大きさにされた複数のダイヤル溝と、
前記一群のクラッチおよび前記シャフトを受容する大きさにされた本体チャネルと
を含み、
前記クラッチのそれぞれは、前記クラッチの外表面上に延出フィンと、前記クラッチの内表面から内側に延出された内側リングとを有し、前記内側リングは、前記内側リング上に設けられた空隙を有し、前記空隙は、連携する前記シャフト突出部を受容する大きさにされており、前記内側リングは、下面と、前記錠本体の前記第１端部に面する上面とを有し、前記ダイヤルのそれぞれは、連携する前記クラッチの前記延出フィンを受容する大きさにされた複数の歯を有し、
前記錠が前記施錠モードにおいて操作されると、前記シャフト突出部のそれぞれは、連携する前記クラッチの前記内側リングの前記下面の下方に位置し、前記クラッチのうちの少なくとも１つの前記空隙は、前記シャフトが前記錠本体に対して上方に移動することを防止するために、連携する前記シャフト突出部と整列せず、
前記錠が前記開錠モードにおいて操作されると、前記クラッチのそれぞれの前記空隙は、前記錠本体から前記第１ケーブル端部の前記第１端部首部を解放するために前記シャフトが上方に移動することを可能にするために、連携する前記シャフト突出部と整列する、錠。
【請求項２】
前記シャフトは、再設定ポインタをさらに含み、
前記錠本体は、前記錠本体の前記第１端部近傍に、前記再設定ポインタを受容する大きさにされた拘束トラックをさらに含み、
前記錠が前記施錠モードにおいて操作されると、前記シャフトの前記再設定ポインタは、前記シャフトが錠本体に対して回転することを防止するために、前記拘束トラックと係合され、
前記錠が前記開錠モードにおいて操作されると、前記シャフトは、前記錠を再設定するために前記シャフトが前記錠本体に対して回転することを可能にするために、前記拘束トラックから前記再設定ポインタを解放するために上方に移動させられる、請求項１記載の錠。
【請求項３】
前記クラッチのそれぞれの前記内側リングの前記上面は、前記内側リングにおける前記空隙から離間した再設定縁部を含み、
前記錠本体は、前記錠本体の前記第１端部近傍に、前記拘束トラックから離間した再設定トラックをさらに含み、
前記再設定ポインタが前記再設定トラックと整列するように前記シャフトが回転すると、前記クラッチが前記錠本体に対して回転することを防止するために、前記シャフト突出部のそれぞれが連携する前記クラッチの前記再設定縁部内に位置するまで、前記シャフトが下方に押され得る、請求項２記載の錠。
【請求項４】
前記シャフト突出部のそれぞれが連携する前記クラッチの前記再設定縁部内に位置し、前記ダイヤルの前記歯から前記クラッチの前記延出フィンを解放するために、前記シャフトがさらに下方に移動させられると、前記ダイヤルが前記クラッチなしで回転され得ることによって、新たな組合せコードを設定する、請求項３記載の錠。
【請求項５】
前記錠本体の前記第１端部近傍に位置し、前記第２ケーブル端部の前記第２端部首部と係合されるように配置される固定カム溝を有する固定カムと、
前記固定カムと摺動可能に係合し、第１プレート位置および第２プレート位置に配置可能なブロックプレートと
をさらに含み、
前記ブロックプレートが前記第１プレート位置に位置すると、前記ブロックプレートは、前記第２ケーブル端部の前記第２端部首部が前記固定カム溝から解放されることを防止するように配置され、
前記ブロックプレートが第２プレート位置に位置すると、前記第２ケーブル端部の前記第２端部首部が前記固定カム溝から解放され得る、請求項１記載の錠。
【請求項６】
前記ブロックプレートはピンを含み、
前記錠は、前記ブロックプレートの前記ピンを受容する大きさにされた半螺旋溝を含む回転可能カムをさらに備え、
前記回転可能カムが前記錠本体に対して第１カム位置から第２カム位置に回転させられると、前記ブロックプレートも前記第１プレート位置から前記第２プレート位置に移動させられる、請求項５記載の錠。
【請求項７】
前記錠本体の前記第２端部近傍に位置するシリンダをさらに含み、
前記シリンダは、前記錠本体に対して前記シリンダを回転させることによって前記錠を解除するためにカギを受容するように配置されるカギ溝を含み、
前記シリンダは１つまたは複数のシリンダ突出部を含み、
前記回転可能カムは前記１つまたは複数のシリンダ突出部を受容する大きさにされた１つまたは複数のカム穴を含み、
前記シリンダが回転すると、前記回転可能カムは前記錠本体に対して前記第１カム位置から前記第２カム位置へと回転させられる、請求項６記載の錠。
【請求項８】
前記錠本体の前記第１端部近傍に位置するインジケータと、前記回転可能カムに隣接するフォーク壁を有するフォークプレートとをさらに含み、
前記フォークプレートは、第１フォーク位置および第２フォーク位置に配置可能であり、
前記インジケータは、インジケータ頂部と、インジケータ首部を備えるインジケータ本体とを有し、前記フォークプレートは、前記インジケータ本体を受容する大きさにされたフォーク開口部と、前記フォークプレートが前記第１フォーク位置に位置する際に前記インジケータ首部を受容する大きさにされた前記フォーク開口部から延出するフォーク溝とをさらに含み、
前記回転可能カムは、カムフィンガをさらに含み、
前記回転可能カムが前記第１カム位置に位置すると、前記カムフィンガは前記フォーク壁から離間し、前記フォークプレートは前記第１フォーク位置に位置し、
前記回転可能カムが前記第２カム位置に位置すると、前記インジケータ首部を前記フォーク溝から解放するために、前記カムフィンガが前記回転可能カムから前記フォーク壁を押し離すように配置されることによって、前記インジケータ頂部が前記錠本体の前記第１端部から移動することを可能にする、請求項７記載の錠。
【請求項９】
前記シャフトの前記頂部は矩形部を含み、
前記錠本体は前記矩形部を受容する大きさにされた頂部開口部をさらに含み、
前記錠が前記施錠モードにおいて操作されると、前記シャフトが錠本体に対して回転することを防止するために、前記シャフトの前記矩形部が前記錠本体の前記頂部開口部と係合され、
前記錠が前記開錠モードにおいて操作されると、前記頂部本体の前記頂部開口部から前記矩形部を解放するために、前記シャフトが上方に移動させられることによって、前記シャフトが前記錠本体に対して回転することを可能にすることで、前記錠を再設定する、請求項１記載の錠。
【請求項１０】
前記クラッチのそれぞれの前記内側リングの前記上面は、前記内側リングにおける前記空隙から離間した再設定縁部を含み、
前記シャフトが回転させられ、前記シャフトの前記矩形部が前記錠本体の前記頂部開口部に再度受容可能であると、前記シャフト突出部が連携する前記クラッチの前記再設定縁部内に位置するまで、前記シャフトが下方に押され得て、
前記シャフト突出部は、前記クラッチが前記錠本体に対して回転することを防止するように構成される、請求項９記載の錠。
【請求項１１】
前記シャフト突出部のそれぞれが連携する前記クラッチの前記再設定縁部内に位置し、前記ダイヤルの前記歯から前記クラッチの前記延出フィンを解放するために、前記シャフトがさらに下方に移動させられると、前記ダイヤルが前記クラッチなしで回転され得ることによって、新たな組合せコードを設定する、請求項８記載の錠。
【発明の詳細な説明】
【技術分野】
【０００１】
［関連出願の相互参照］
本出願は、米国特許法（３５ＵＳＣ）第１１９条により、２０１７年１１月２２日に出願された米国仮特許出願第６２／５８９，８８７号明細書の優先権を主張し、その開示内容の全ては、参照により本明細書に組み込まれる。
【０００２】
本発明は、錠に関し、より詳細には、ケーブルを拘束具として使用するケーブル錠に関する。
【背景技術】
【０００３】
今日の錠の大半は、運輸保安庁（ＴＳＡ）職員が検査目的のために特別なカギを用いて錠を解除することを可能にするために、カギ優先機構（key overriding mechanism）を用いて設計されている。ケーブルが組合せコードまたはカギ優先機構により錠から解放され得るケーブル錠を提供する必要がある。
【発明の概要】
【０００４】
本発明は、ケーブルと、錠本体とを備える錠を提供する。本体は、一方側においてシャフトを、他方側において固定カムを受容するように配置される。ケーブルは、第１ケーブル端部と、第２ケーブル端部とを有し、シャフトは、第１ケーブル端部と取り外し可能に係合される頂部を有し、固定カムは、第２ケーブル端部と取り外し可能に係合されるカム溝（cam slot）を有する。第１ケーブル端部は、組合せ機構によって解放され得て、第２ケーブル端部は、カギ優先機構によって解放され得る。したがって、本発明の一態様は、施錠モードおよび開錠モードにおいて操作可能である錠を提供することであって、
第１端部と、反対側端部とを有する錠本体と、
一群（stack）のクラッチと、
それぞれがクラッチのうちの別々の１つと連携する複数のダイヤルと、
固定カム溝を有する固定カムと、
シャフト本体と、錠本体の第１端部と隣接する頂部とを含むシャフトであって、頂部は、シャフト溝（shaft slot）を有し、シャフトは、シャフト本体に複数のシャフト突出部をさらに含み、各シャフト突出部は、クラッチのうちの１つと連携する、シャフトと、
第１ケーブル端部と、第２ケーブル端部とを含み、第１ケーブル端部は、シャフト溝と取り外し可能に係合される第１端部首部を有し、第２ケーブル端部は、固定カムの固定カム溝と取り外し可能に係合される第２端部首部を有する、ケーブルと
を含み、
錠本体は、
ダイヤルを受容する大きさにされた複数のダイヤル溝（dial slot）と、
一群のクラッチおよびシャフトを受容する大きさにされた本体チャネルと
を含み、
クラッチのそれぞれは、クラッチの外表面上に延出フィンと、クラッチの内表面から内側に延出された内側リングとを有し、内側リングは、内側リング上に設けられた空隙を有し、空隙は、連携するシャフト突出部を受容する大きさにされており、内側リングは、下面と、錠本体の第１端部に面する上面とを有し、ダイヤルのそれぞれは、連携するクラッチの延出フィンを受容する大きさにされた複数の歯を有し、
錠が施錠モードにおいて操作されると、シャフト突出部のそれぞれは、連携するクラッチの内側リングの下面の下方に位置し、クラッチのうちの少なくとも１つの空隙は、シャフトが錠本体に対して上方に移動することを防止するために、連携するシャフト突出部と整列せず、
錠が開錠モードにおいて操作されると、クラッチのそれぞれの空隙は、錠本体から第１ケーブル端部の第１端部首部を解放するためにシャフトが上方に移動することを可能にするために、連携するシャフト突出部と整列する。
【０００５】
本発明の一実施形態によると、シャフトは、再設定ポインタをさらに含み、
錠本体は、錠本体の第１端部近傍に、再設定ポインタを受容する大きさにされた拘束トラックをさらに含み、
錠が施錠モードにおいて操作されると、シャフトの再設定ポインタは、シャフトが錠本体に対して回転することを防止するために、拘束トラックと係合され、
錠が開錠モードにおいて操作されると、シャフトは、錠を再設定するためにシャフトが錠本体に対して回転することを可能にするために、拘束トラックから再設定ポインタを解放するために上方に移動させられる。
【０００６】
本発明の一実施形態によると、クラッチのそれぞれの内側リングの上面は、内側リングにおける空隙から離間した再設定縁部を含み、
錠本体は、錠本体の第１端部近傍に、拘束トラックから離間した再設定トラックをさらに含み、
再設定ポインタが再設定トラックと整列するようにシャフトが回転すると、クラッチが錠本体に対して回転することを防止するために、シャフト突出部のそれぞれが連携するクラッチの再設定縁部内に位置するまで、シャフトが下方に押され得る。
【０００７】
本発明の一実施形態によると、シャフト突出部のそれぞれが連携するクラッチの再設定縁部内に位置し、ダイヤルの歯からクラッチの延出フィンを解放するために、シャフトがさらに下方に移動させられると、ダイヤルがクラッチなしで回転され得ることによって、新たな組合せコードを設定する。
【０００８】
本発明の一実施形態によると、錠本体の第１端部近傍に位置し、第２ケーブル端部の第２端部首部と係合されるように配置される固定カム溝を有する固定カムと、
固定カムと摺動可能に係合し、第１プレート位置および第２プレート位置に配置可能なブロックプレートと
をさらに含み、
ブロックプレートが第１プレート位置に位置すると、ブロックプレートは、第２ケーブル端部の第２端部首部が固定カム溝から解放されることを防止するように配置され、ブロックプレートが第２プレート位置に位置すると、第２ケーブル端部の第２端部首部が固定カム溝から解放され得る。
【０００９】
本発明の一実施形態によると、ブロックプレートはピンを含み、錠は、ブロックプレートのピンを受容する大きさにされた半螺旋（semi-spiral）溝を含む回転可能カムをさらに備え、
回転可能カムが錠本体に対して第１カム位置から第２カム位置に回転させられると、ブロックプレートも第１プレート位置から第２プレート位置に移動させられる。
【００１０】
本発明の一実施形態によると、錠本体の第２端部近傍に位置するシリンダをさらに含み、シリンダは、錠本体に対してシリンダを回転させることによって錠を解除するためにカギを受容するように配置されるカギ溝（key slot）を含み、シリンダは１つまたは複数のシリンダ突出部を含み、回転可能カムは１つまたは複数のシリンダ突出部を受容する大きさにされた１つまたは複数のカム穴（cam hole）を含み、シリンダが回転すると、回転可能カムは錠本体に対して第１カム位置から第２カム位置へと回転させられる。
【００１１】
本発明の一実施形態によると、錠本体の第１端部近傍に位置するインジケータと、回転可能カムに隣接するフォーク壁を有するフォークプレートとをさらに含み、フォークプレートは、第１フォーク位置および第２フォーク位置に配置可能であり、インジケータは、インジケータ頂部と、インジケータ首部とを備えるインジケータ本体を有し、フォークプレートは、インジケータ本体を受容する大きさにされたフォーク開口部と、フォークプレートが第１フォーク位置に位置する際にインジケータ首部を受容する大きさにされたフォーク開口部から延出するフォーク溝（fork groove）とをさらに含み、回転可能カムは、カムフィンガをさらに含み、
回転可能カムが第１カム位置に位置すると、カムフィンガはフォーク壁から離間し、フォークプレートは第１フォーク位置に位置し、
回転可能カムが第２カム位置に位置すると、インジケータ首部をフォーク溝から解放するために、カムフィンガが回転可能カムからフォーク壁を押し離すように配置されることによって、インジケータ頂部が錠本体の第１端部から移動することを可能にする。
【００１２】
本発明の一実施形態によると、シャフトの頂部は矩形部を含み、錠本体は矩形部を受容する大きさにされた頂部開口部をさらに含み、
錠が施錠モードにおいて操作されると、シャフトが錠本体に対して回転することを防止するために、シャフトの矩形部が錠本体の頂部開口部と係合され、
錠が開錠モードにおいて操作されると、頂部本体の頂部開口部から矩形部を解放するために、シャフトが上方に移動させられることによって、シャフトが錠本体に対して回転することを可能にすることで、錠を再設定する。
【００１３】
本発明の一実施形態によると、クラッチのそれぞれの内側リングの上面は、内側リングにおける空隙から離間した再設定縁部を含み、シャフトが回転させられ、シャフトの矩形部が錠本体の頂部開口部に再度受容可能であると、シャフト突出部が連携するクラッチの再設定縁部内に位置するまで、シャフトが下方に押され得て、シャフト突出部は、クラッチが錠本体に対して回転することを防止するように構成される。
【００１４】
本発明の一実施形態によると、シャフト突出部のそれぞれが連携するクラッチの再設定縁部内に位置し、ダイヤルの歯からクラッチの延出フィンを解放するために、シャフトがさらに下方に移動させられると、ダイヤルがクラッチなしで回転され得ることによって、新たな組合せコードを設定する。
【図面の簡単な説明】
【００１５】
【図１Ａ】本発明の一実施形態による、錠が施錠モードにおいて操作されている際の、ケーブル錠の正面断面図である。
【図１Ｂ】図１Ａのケーブル錠の側面断面図である。
【図１Ｃ】図１Ａのケーブル錠の底面断面図である。
【図２】本発明の一実施形態による錠本体の半部を示す。
【図３】本発明の一実施形態による錠本体の半部を示す。
【図４】本発明の一実施形態による固定カムを示す。
【図５】本発明の一実施形態によるブロックプレートを示す。
【図６】本発明の一実施形態による回転可能カムを示す。
【図７】本発明の一実施形態によるシリンダを示す。
【図８】本発明の一実施形態によるシャフトを示す。
【図９Ａ】本発明の一実施形態によるクラッチの底面図を示す。
【図９Ｂ】本発明の一実施形態によるクラッチの平面図を示す。
【図１０】本発明の一実施形態によるダイヤルを示す。
【図１１】本発明の一実施形態によるケーブルを示す。
【図１２】本発明の一実施形態によるインジケータを示す。
【図１３】本発明の一実施形態によるフォークプレートを示す。
【図１４Ａ】本発明の一実施形態による、錠が開錠モードにおいて操作されている際の、ケーブル錠の正面断面図である。
【図１４Ｂ】図１４Ａのケーブル錠の側面断面図である。
【図１４Ｃ】図１４Ａのケーブル錠の底面断面図である。
【図１５Ａ】本発明の一実施形態によるケーブル錠の、錠がカギで開錠されている際の、前部断面図である。
【図１５Ｂ】図１５Ａのケーブル錠の側面断面図である。
【図１５Ｃ】図１５Ａのケーブル錠の底面断面図である。
【図１６Ａ】本発明の一実施形態による、錠が開錠モードにおいて操作され、シャフトが再設定するために回転した際の、ケーブル錠の正面断面図である。
【図１６Ｂ】図１６Ａのケーブル錠の側面断面図である。
【図１６Ｃ】図１６Ａのケーブル錠の底面断面図である。
【図１７Ａ】本発明の一実施形態による、錠が施錠モードにおいて操作されている際の、ケーブル錠の正面図である。
【図１７Ｂ】図１７Ａのケーブル錠の背面図である。
【図１８Ａ】本発明の一実施形態による、錠が開錠モードにおいて操作されている際の、ケーブル錠の正面図である。
【図１８Ｂ】図１８Ａのケーブル錠の背面図である。
【図１９Ａ】本発明の一実施形態による、錠がカギで開錠されている際の、ケーブル錠の正面図である。
【図１９Ｂ】図１９Ａのケーブル錠の背面図である。
【図２０Ａ】本発明の一実施形態による、錠が開錠位置で操作され、シャフトが再設定するために回転された際の、ケーブル錠の正面図である。
【図２０Ｂ】図２０Ａのケーブル錠の背面図である。
【図２１】本発明の別の実施形態によるシャフトを示す。
【図２２】本発明の別の実施形態による、錠が組合せコードで開錠されている際の、ケーブル錠の正面図を示す。
【発明を実施するための形態】
【００１６】
本発明は、施錠モードおよび開錠モードにおいて操作可能であるケーブル錠１０を提供する。図１Ａ〜２０Ｂに見られるように、錠１０は、ケーブル１１０と、錠本体２０／３０とを含んでおり、ケーブルは、第１ケーブル端部１１１と、第２ケーブル端部１１２とを有しており、錠本体２０／３０は、錠本体の一方側においてシャフト８０を、錠本体の他方側において固定カム４０を受容するように配置されている。シャフト８０は、第１ケーブル端部１１１と取り外し可能に係合される頂部８５を有しており、固定カム４０は、第２ケーブル端部１１２と取り外し可能に係合されるカム溝４１を有している。第１ケーブル端部１１１は、組合せ機構によって解放され得て、第２ケーブル端部１１２は、カギ優先機構によって解放され得る。錠１０は、第１ケーブル端部１１１がシャフト８０の頂部８５から解放されている開錠モードにおいて操作されると、錠１０は、再設定され得ることで、ユーザが新たな組合せコードを設定することを可能にしている。
【００１７】
施錠モード（図１Ａ〜１３、１７Ａおよび１７Ｂ）
図１Ａ〜１Ｃは、本発明の一実施形態による、錠が施錠モードにおいて操作される際の、ケーブル錠１０の断面図である。図２および３は、錠本体２０／３０の２つの半部を示し、錠本体２０／３０は、頂部側端部２８／３８と、底部側端部２９／３９とを有している。図４は、固定カム溝４１を有する固定カム４０を示している。図５は、ピン５１を有するブロックプレート５０を示している。図６は、カム溝６１を有する回転可能カム６０、カムフィンガ６３、および回転可能カム６０の底部側端部における２つのカム穴６２を示している。カム６０は、第１カム位置と第２カム位置との間で回転され得る。図７は、回転可能カム６０のカム穴６２と係合されるように配置される２つのシリンダ突出部７１を有するシリンダ７０を示している。図８は、シャフト溝８１と、再設定ポインタ８３とを備える頂部８５、および複数のシャフト突出部８２を有するシャフト本体８６を有するシャフト８０を示している。図９Ａは、クラッチ９０の外表面から延出する延出フィン９１と、クラッチ９０の内表面から内方向に延出する内側リング９３とを有するクラッチ９０の底面図を示している。内側リング９３は、内側リング９３に設けられた空隙９２を有している。図９Ｂは、クラッチ９０の平面図であり、内側リング９３の上側に設けられた再設定縁部９４を示している。再設定縁部９４は、空隙９２から離間している。図１０は、クラッチ９０の延出フィン９１を受容する大きさにされた複数の歯１０１を有するダイヤル１００を示している。図１１は、第１端部首部１１３を有する第１ケーブル端部１１１と、第２端部首部１１４を有する第２ケーブル端部１１２とを備えるケーブル１１０を示している。図１２は、インジケータ頂部１２２と、インジケータ首部１２１とを備えるインジケータ本体１２３を有するインジケータ１２０を示している。図１３は、フォーク開口部１３４と連通するフォーク溝１３１を有するフォーク開口部１３４を含むフォークプレート１３０を示している。また、フォークプレート１３０は、フォーク壁１３２と、バネを取り付けるためのフォークピン１３３とを有している。錠１０が、施錠モード（図１Ａ）において、組合せ機構によって開錠された開錠モード（図１４Ａ）において、または、再設定モード（図１６Ａ）において操作されると、インジケータ首部１２１は、フォークプレート１３０のフォーク溝１３１と係合され、回転可能カム６０のカムフィンガ６３は、フォーク壁１３２から離間する。フォークプレート１３０は、フォークピン１３３に取り付けられるバネによって付勢されて回転可能カム６０の方向に移動することで、インジケータ１２０全体を錠本体２０／３０内に保持する。
【００１８】
図１Ａ〜１Ｃに見られるように、ケーブル錠１０は、複数のダイヤル１００を受容する大きさにされた複数のダイヤル溝２４／３４を備える錠本体２０／３０、一群のクラッチ９０およびシャフト８０を受容する大きさにされた本体チャネル２１／３１を有している。シャフト８０は、それぞれがクラッチ９０のうちの１つと連携する複数のシャフト突出部８２を有している。クラッチ９０のそれぞれは、ダイヤル１００のうちの別々の１つと連携する。ケーブル錠１０は、錠本体２０／３０の頂部側端部の近傍に固定して取り付けられる固定カム４０と、固定カム４０と摺動可能に係合されるブロックプレート５０とを有しており、ブロックプレート５０は第１プレート位置と第２プレート位置との間で移動させられ得る。
【００１９】
錠が施錠モードにおいて操作されると、第１ケーブル端部１１１の第１端部首部１１３は、シャフト５０の頂部８５におけるシャフト溝８１と係合され、第２ケーブル端部１１２の第２端部首部１１４は、固定カム４０の固定カム溝４１と係合される。ブロックプレート５０は、第１プレート位置に位置しており、ケーブル１１０の第２ケーブル端部１１２は、ブロックプレート５０と固定カム４０との間に囲繞されている。同時に、シャフト突出部８２のそれぞれは、連携するクラッチ９０の内側リング９３の下面の下方に位置しており、ダイヤル１００のうちの少なくとも１つは、施錠解除位置に位置していない。クラッチ９０のうちの少なくとも１つの空隙９２は、シャフト本体８６の連携するシャフト突出部８２と整列しないことで、シャフト８０が錠本体２０／３０に対して上方に移動することを防止している。このようなものであるので、シャフト８０の頂部８５の一部は、錠本体２０／３０の頂部側端部の下方に隠れている。第１端部首部１１３は、シャフト溝８１から取り外され得ない。このように、ケーブル１１０は、組合せ機構によって固定されている。さらに、シャフト８０の再設定ポインタ８３は、錠本体２０／３０の拘束トラック２２に係合されることで、シャフト８０が錠本体２０／３０に対して回転することを防止している。
【００２０】
また、図１Ａに見られるように、錠１０は、錠本体２０／３０の頂部側端部の近傍に位置する回転可能カム６０を有している。回転可能カム６０は、ブロックプレート５０のピン５１を受容する大きさにされた部分螺旋（partial-spiral）カム溝６１を有している。また、錠１０は、回転可能カム６０のカム穴６２と係合されるシリンダ突出部７１を備えており、錠本体２０／３０の底部側端部の近傍に位置するシリンダ７０を有している。シリンダ７０は、カギなしで錠本体２０／３０に対して回転できないため、回転可能カム６０は、第１カム位置にあって、錠本体２０／３０に対して回転することができない。このようなものであるので、ブロックプレート５０が第１プレート位置に留まることによって、第２ケーブル端部１１２の第２端部首部１１４が固定カム４０の固定カム溝４１から解放されることを防止している。
【００２１】
組合せコードによる開錠（図１４Ａ〜１４Ｃ、１８Ａ〜１８Ｂ）
錠１０が再設定モードではない場合には、クラッチ９０のそれぞれのクラッチの延出フィン９１は、連携するダイヤル１００の歯１０１のうちの１つと係合されており、クラッチ９０は、ダイヤル１００とともに回転可能である。錠１０を組合せ機構によって開錠するためには、ダイヤル１００が回転されて、シャフト突出部８２のそれぞれが連携するクラッチ９０の空隙９２と整列するように組合せコードを一致させる必要がある。その後に、ケーブル１１０の第１ケーブル端部１１１が、上方に引かれると、シャフト９０は、上方に移動し得る。このようなものであるので、シャフト頂部８５のシャフト溝８１は、錠本体２０／３０の頂部側端部の上方に位置することで、第１ケーブル端部１１１の第１端部首部１１３がシャフト溝８１から取り除かれることを可能にしている。錠１０は、錠本体２０／３０の溝端部２５／３５内に位置する停止プレート１５０を有することで、最上部のシャフト突出部８２をブロックすることによって、シャフト８０の上方の移動を制限している。
【００２２】
カギによる開錠（図１５Ａ〜１５Ｃ、１９Ａ〜１９Ｂ）
図１５Ａに見られるように、シリンダ突出部７１は回転可能カム６０のカム穴６２と係合されており、ブロックプレート５０のピン５１は、回転可能カム６０のカム溝６１と摺動可能に係合されている。カギ１４０がシリンダ７０に挿入されると、シリンダ７０内のウェハがシリンダ内に後退することで、シリンダ７０が回転することを可能にしている。シリンダ７０が回転すると、回転可能カム６０も錠本体２０／３０に対して第１カム位置から第２カム位置に回転する。ブロックプレート５０のピン５１が部分螺旋カム溝６１と係合された状態で、回転可能カム６０の回転によって、ブロックプレート５０が第１プレート位置から第２プレート位置へと下方に引っ張られる。第２プレート位置において、ブロックプレート５０は、固定カム４０の固定カム溝４１を露出させる。第２ケーブル端部１１２の第２端部首部１１４は、固定カム溝４１から解放され得る。しかし、第１ケーブル端部１１１の第１端部首部１１３は、シャフト８０のシャフト溝８１と係合されたままである。再設定ポインタ８３も、錠本体２０／３０の拘束トラック２２と係合されたままであることで、シャフト８０が錠本体２０／３０に対して回転することを防止している。
【００２３】
回転可能カム６０が第１カム位置から第２カム位置へと回転させられると、回転可能カム６０のカムフィンガ６３がフォークプレート１３０のフォーク壁１３２と接触することで、フォークプレート１３０が回転可能カム６０から押し離され、フォーク溝１３１からインジケータ１２０のインジケータ首部１２１を解放する。同時に、インジケータ１２０が下方のバネ（図示されず）によって上方に押されることで、インジケータ頂部１２２を錠本体２０／３０から移動させる（図１５Ａ参照）。インジケータ１２０の飛び出しは、錠がカギによって開錠されたことの注意喚起としての役割を果たしている。
【００２４】
再設定モード（図１６Ａ〜１６Ｃ、２０Ａ〜２０Ｂ）
錠１０が組合せ機構によって開錠されて、シャフト８０が上方に引っ張られると、再設定ポインタ８３は、錠本体２０／３０の拘束トラック２２から解放される。シャフト８０は、錠本体２０／３０に対して回転され得る。再設定ポインタ８３が、錠本体２０／３０における再設定トラック３２と整列すると、シャフト８０は、下方に押され得ることによって、シャフト突出部８２のそれぞれが、連携するクラッチ９０の再設定縁部９４と係合させられる。再設定トラック３２は、錠本体２０／３０に対するシャフト８０の回転を防止している。さらに、シャフト突出部８２のクラッチ９０の再設定縁部９４との係合は、再設定モード中のクラッチ９０の錠本体２０／３０に対する回転を防止している。
【００２５】
錠１０を再設定するためには、クラッチ９０の延出フィン９１がダイヤル１００の歯１０１から解放されるまで、クラッチ９０が、シャフト８０のシャフト突出部８２によって、さらに下方に押される必要がある。その後、ユーザは、クラッチ９０なしでダイヤル１００を回転させることで、新たな組合せコードを設定し得る。
【００２６】
再設定した後、ユーザは、シャフト９０の再設定ポインタ８３が錠本体２０／３０の再設定トラック３２から解放されるまで、シャフト９０を上方に引っ張る必要がある。その後、ユーザは、新たな組合せコードによって、錠１０を再施錠し得る。
【００２７】
図２１および２２
図８に見られるように、シャフト８０は、再設定ポインタ８３を備える頂部８５を有している。図２および３に示されるように、錠本体２０／３０は、シャフト８０の頂部８５の一部を受容する大きさにされた円形の穴を有している。錠本体の半部２０は、拘束トラック２２を有しており、錠本体の半部３０は、再設定トラック３２を有している。図１Ａ、１Ｂ、８、１４Ａ、１４Ｂ、１５Ａ、１５Ｂ、１６Ａ、１６Ｂおよび１７Ａ〜２０Ｂに示されるように、錠が施錠されている、または、カギ優先機構によって開錠されていると、錠本体２０／３０の拘束トラック２２とシャフト８０の頂部８５の再設定ポインタ８３との係合によって、シャフト８０の錠本体２０／３０に対する回転を防止している。再設定モードでは、再設定ポインタ８３と錠本体２０／３０における再設定トラック３２との係合によっても、シャフト８０の錠本体２０／３０に対する回転を防止している。
【００２８】
本発明の異なる実施形態では、シャフト８０の頂部８５の矩形頂面８４が再設定ポインタ８３を置き換えるために用いられ、錠本体２０／３０は、拘束トラック２２と、再設定トラック３２とを有する円形開口部を置き換えるために、錠本体２０／３０の頂部側端部において、矩形開口部２３を有している。図２１に示されるように、矩形頂面８４は、ケーブル溝（cable slot）８７を有することで、第１ケーブル端部１１１の第１端部首部１１３がシャフト溝８１と係合することを可能にしている。錠本体２０／３０における矩形開口部２３は、矩形頂面８４を受容する大きさにされている。
【００２９】
錠１０が施錠モードにおいて操作されるか、または、カギ優先機構によって開錠されると、矩形頂面８４のうちの少なくとも一部が矩形開口部２３内に位置することで、第１ケーブル端部１１１の第１端部首部１１３がシャフト溝８１から解放されることを防止している。錠が組合せ機構によって開錠されると、図２２に示されるように、矩形頂面８４は、錠本体２０／３０の矩形開口部２３から移動される。ケーブル１１０の第１ケーブル端部１１１は、錠本体２０／３０から解放され得る。再設定モードでは、シャフト８０が錠本体２０／３０に対して１８０度回転することによって、矩形頂面８４を矩形開口部２３と整列させることで、シャフト８０が下方に押され得ることによって、ダイヤル１００の歯１０１からクラッチ９０の延出フィン９１を解放する。
【００３０】
矩形頂面８４は、２つの方向、つまり、施錠するための一方向と、錠１０を再設定するための他方向とにおいて、矩形開口部２３に嵌合され得るが、シャフト８０の頂面および錠本体２０／３０における開口部は、矩形とは異なる形状であり得ることが理解される。シャフト頂面および錠本体開口部は、同一の機能を達成するために楕円形であってもよい。したがって、本発明は１または複数の実施形態に関して説明されたが、当業者には、本発明の範囲から逸脱することなく、その形状および詳細において、前述の、および他の様々な変更、省略、逸脱がなされ得ることが理解される。
【図１Ａ】
2019108785.tif 000003
【図１Ｂ】
2019108785.tif 000004
【図１Ｃ】
2019108785.tif 000005
【図２】
2019108785.tif 000006
【図３】
2019108785.tif 000007
【図４】
2019108785.tif 000008
【図５】
2019108785.tif 000009
【図６】
2019108785.tif 000010
【図７】
2019108785.tif 000011
【図８】
2019108785.tif 000012
【図９Ａ】
2019108785.tif 000013
【図９Ｂ】
2019108785.tif 000014
【図１０】
2019108785.tif 000015
【図１１】
2019108785.tif 000016
【図１２】
2019108785.tif 000017
【図１３】
2019108785.tif 000018
【図１４Ａ】
2019108785.tif 000019
【図１４Ｂ】
2019108785.tif 000020
【図１４Ｃ】
2019108785.tif 000021
【図１５Ａ】
2019108785.tif 000022
【図１５Ｂ】
2019108785.tif 000023
【図１５Ｃ】
2019108785.tif 000024
【図１６Ａ】
2019108785.tif 000025
【図１６Ｂ】
2019108785.tif 000026
【図１６Ｃ】
2019108785.tif 000027
【図１７Ａ】
2019108785.tif 000028
【図１７Ｂ】
2019108785.tif 000029
【図１８Ａ】
2019108785.tif 000030
【図１８Ｂ】
2019108785.tif 000031
【図１９Ａ】
2019108785.tif 000032
【図１９Ｂ】
2019108785.tif 000033
【図２０Ａ】
2019108785.tif 000034
【図２０Ｂ】
2019108785.tif 000035
【図２１】
2019108785.tif 000036
【図２２】
2019108785.tif 000037
【外国語明細書】
2019108785000001.pdf
2019108785000002.pdf
2019108785000003.pdf
2019108785000004.pdf